(57)【要約】【課題】  複数の画像撮影機器の位置合わせを行うことができる医用画像評価用のファントムを提供する。【解決手段】  本発明のファントム１は、心臓を模した心臓ファントム２が体幹容器３内に収納されており、心臓ファントム２は、核医学画像５０で基準位置画像５２として表示される基準位置部材１０と、特徴画像（上流始点画像６１ａ）として表示される特徴部材である模擬血管９の上流始点９ａを備えている。核医学画像撮影機器とＣＴ画像撮影機器との間に位置ずれがある場合、両画像を重ね合わせると、基準位置画像５２と特徴画像との間にずれが生じる。このずれが両撮影機器の位置ずれとなるため、フュージョン画像７０を作成するときは、この位置ずれの分を考慮して両画像の融合の際の矯正を行う。これにより、正確なフュージョン画像７０を作成することができる。【選択図】図２
2020139757.tif 000002
【特許請求の範囲】
【請求項１】
核医学画像を撮影する核医学画像撮影機器と、前記核医学画像とは異なる第２撮影画像を撮影する第２画像撮影機器の校正を行うためのファントムであって、
内部に放射性同位体を含む液体及び模擬病変部材を収納可能な容器を有し、
前記容器は、前記核医学画像で基準位置画像として表示される基準位置部材と、前記第２撮影画像で位置の特定が可能な特徴画像として表示される特徴部材とを備え、
前記基準位置部材と前記特徴部材は、前記容器の予め定めた位置に配置されており、
前記核医学画像撮影機器及び前記第２画像撮影機器において前記容器を基準姿勢の状態で撮影し、撮影した前記核医学画像と前記第２撮影画像とを重ね合わせた際に、前記基準位置画像と前記特徴画像の位置関係により前記核医学画像撮影機器及び前記第２画像撮影機器の位置ずれを検証可能であることを特徴とする医用画像評価用ファントム。
【請求項２】
請求項１に記載の医用画像評価用ファントムであって、
前記基準位置部材は、前記放射性同位体を含む液体内に配置され、前記核医学画像撮影機器によって前記基準姿勢の状態で撮影されたときに、前記核医学画像において前記模擬病変部材と異なる位置に表示されるように配置されていることを特徴とする医用画像評価用ファントム。
【請求項３】
請求項１又は２に記載の医用画像評価用ファントムであって、
前記第２画像撮影機器がＣＴ（Ｃｏｍｐｕｔｅｄ  Ｔｏｍｏｇｒａｐｈｙ）画像撮影機器であり、
前記容器は人体の心臓を模したものであり、
前記特徴部材が前記ＣＴ画像撮影機器で撮影可能であり、前記容器に装着される模擬血管であり、
前記基準位置部材は、前記核医学画像撮影機器によって前記基準姿勢の状態で撮影されたときに、前記核医学画像撮影機器及び前記第２画像撮影機器に位置ずれがない状態において、前記模擬血管の上流始点と重なる位置に配置されていることを特徴とする医用画像評価用ファントム。
【請求項４】
請求項３に記載の医用画像評価用ファントムであって、
前記基準位置部材は、前記容器に設けられた基準位置取付部に着脱自在に装着されると共に、前記模擬血管が装着された際に前記基準位置部材が前記上流始点に隣接するように配置されていることを特徴とする医用画像評価用ファントム。
【請求項５】
請求項３又は４に記載の医用画像評価用ファントムであって、
前記容器は、人体の胸部を模した体幹容器の収納部内に収納され、
前記収納部内には、人体の背骨の方向に延びる支柱と、前記支柱に対して前記容器を取り付ける固定部材とが設けられ、
前記容器は、前記固定部材によって前記基準姿勢となるように固定されていることを特徴とする医用画像評価用ファントム。
【発明の詳細な説明】
【技術分野】
【０００１】
本発明は、医用画像評価用のファントムに関し、特にフュージョン画像の校正が可能なファントムに関する
【背景技術】
【０００２】
医用画像、例えば、心臓用の核医学画像は、心血管の異常疾患に対する診断のため等に広く用いられている。この検査では、正常な心臓の筋肉に集まる放射性医薬品が本検査の被験者の血中に投与される。次に、その医薬品から放出される微量なガンマ線がＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）撮影装置等の検査機器で捉えられる。
【０００３】
これによって、放射性医薬品が心筋に集積する様子を表す画像が取得される。そして、取得された画像に基づき、放射性医薬品が集積する程度や範囲等に関する視覚による評価や画像から得られる分析値に基づいて診断が行われる。
【０００４】
一方で、医用画像としては、ＣＴ（Ｃｏｍｐｕｔｅｄ  Ｔｏｍｏｇｒａｐｈｙ）画像も診断のために用いられている。このＣＴ画像は、Ｘ線を用いて体内の臓器等を視覚化したものであり、特に心臓の血管画像は血管の狭窄や石灰化などを視覚的、数値的に評価することができる。また、医用画像としては、この他に、ＭＲＩ（Ｍａｇｎｅｔｉｃ  Ｒｅｓｏｎａｎｃｅ  Ｉｍａｇｉｎｇ：磁気共鳴画像）や、Ｘ線画像、及び超音波画像等が挙げられる。
【０００５】
このような医用画像を取得する画像撮影機器は、機器の撮影能力を把握できないと撮影された画像の評価ができないため、機器の撮影した画像を評価する必要がある。この機器の撮影能力の評価には、人体を模擬したファントムと呼ばれる装置が用いられる。
【０００６】
例えば、特許文献１に記載のファントムは、ＳＰＥＣＴ撮影システム用のファントムであり、核医学画像を撮影する撮影機器の評価を行うものである。ファントムとしては、その他、ＣＴ画像、ＭＲＩ、或いはＸ線画像用のファントムもそれぞれ存在している。
【先行技術文献】
【特許文献】
【０００７】
【特許文献１】特許第５１９８０２３号
【発明の概要】
【発明が解決しようとする課題】
【０００８】
ところで、近年においては、一人の患者に対して複数の画像を用いて診断を行うことが行われており、単に複数の画像を並べて診断するのではなく、複数の画像を合成していわゆるフュージョン画像を用いて診断することが行われている。
【０００９】
例えば、核医学画像とＣＴ画像とを融合させてフュージョン画像を作成する際、核医学画像撮影機器により撮影された核医学画像と、ＣＴ画像撮影機器により撮影されたＣＴ画像とを組み合わせることになる。
【００１０】
この場合、核医学画像により表示される臓器とＣＴ画像により表示される臓器が異なっているため、両画像を融合させた際に、臓器等の相対位置が正確であるか否かを確認することができない。このような複数の画像撮影機器の位置合わせを、ファントムを用いて行うことが考えられるが、現状では、１つのファントムで複数の機器の評価を行うことができるファントムは存在していない。
【００１１】
本発明は、上記不都合を解消するために、複数の画像撮影機器の位置合わせを行うことができる医用画像評価用のファントムを提供することを目的とする。
【課題を解決するための手段】
【００１２】
本発明の医用画像評価用のファントムは、核医学画像を撮影する核医学画像撮影機器と、前記核医学画像とは異なる第２撮影画像を撮影する第２画像撮影機器の校正を行うためのファントムであって、内部に放射性同位体を含む液体及び模擬病変部材を収納可能な容器を有し、前記容器は、前記核医学画像で基準位置画像として表示される基準位置部材と、前記第２撮影画像で位置の特定が可能な特徴画像として表示される特徴部材とを備え、前記基準位置部材と前記特徴部材は、前記容器の予め定めた位置に配置されており、前記核医学画像撮影機器及び前記第２画像撮影機器において前記容器を基準姿勢の状態で撮影し、撮影した前記核医学画像と前記第２撮影画像とを重ね合わせた際に、前記基準位置画像と前記特徴画像の位置関係により前記核医学画像撮影機器及び前記第２画像撮影機器の位置ずれを検証可能であることを特徴とする。
【００１３】
本発明の医用画像評価用のファントムによれば、基準位置部材と特徴部材との位置関係が予め定められている。このため、核医学画像撮影機器で撮影した画像と、第２画像撮影機器で撮影した画像とを重ね合わせた際に、基準位置部材と特徴部材の位置を確認することで、核医学画像撮影機器と第２画像撮影機器との位置ずれを確認することができる。従って、位置ずれがある場合は両画像の位置関係を補正することができる。これにより、核医学画像と第２撮影画像を融合させてフュージョン画像とした際には、位置ずれのない正しいフュージョン画像とすることができる。
【００１４】
また、本発明の医用画像評価用のファントムにおいて、前記基準位置部材は、前記放射性同位体を含む液体内に配置され、前記核医学画像撮影機器によって前記基準姿勢の状態で撮影されたときに、前記核医学画像において前記模擬病変部材と異なる位置に表示されるように配置してもよい。当該構成によれば、核医学画像において、基準位置部材が模擬病変部材と重なることなく表示されるので、容易に両機器の位置ずれを確認することができる。
【００１５】
また、本発明の医用画像評価用のファントムにおいて、前記第２画像撮影機器がＣＴ（Ｃｏｍｐｕｔｅｄ  Ｔｏｍｏｇｒａｐｈｙ）画像撮影機器であり、前記容器は人体の心臓を模したものであり、前記特徴部材が前記ＣＴ画像撮影機器で撮影可能であり、前記容器に装着される模擬血管であり、前記基準位置部材は、前記核医学画像撮影機器によって前記基準姿勢の状態で撮影されたときに、前記核医学画像撮影機器及び前記第２画像撮影機器に位置ずれがない状態において、前記模擬血管の上流始点と重なる位置に配置されていてもよい。
【００１６】
容器が心臓を模したものである場合、ＣＴ画像撮影機器では、模擬血管が撮影されることが多い。従ってこの模擬血管を特徴部材とすれば、模擬血管以外に別個に特徴部材を設ける必要がない。これにより、模擬血管の他に特徴部材を設けた場合に比べて、両機器により撮影された画像をフュージョン画像とした際に、模擬病変部等の表示領域を広く確保することができる。
【００１７】
また、本発明の医用画像評価用のファントムにおいて、前記基準位置部材は、前記容器に設けられた基準位置取付部に着脱自在に装着されると共に、前記模擬血管が装着された際に前記基準位置部材が前記上流始点に隣接するように配置してもよい。当該構成によれば、核医学画像とＣＴ画像とを合わせてフュージョン画像とした際に、基準位置画像と模擬血管の上流始点の画像が隣接した位置に配置されるため、撮影機器の位置ずれの検知が容易となる。
【００１８】
また、本発明の医用画像評価用のファントムにおいて、前記容器は、人体の胸部を模した体幹容器の収納部内に収納され、前記収納部内には、人体の背骨の方向に延びる支柱と、前記支柱に対して前記容器を取り付ける固定部材とが設けられ、前記容器は、前記固定部材によって前記基準姿勢となるように固定されていてもよい。当該構成によれば、前記固定部材を用いることにより、容器を基準姿勢に保つことが容易となり、核医学画像の撮影及びＣＴ画像の撮影の際のファントムの設置が容易となる。
【図面の簡単な説明】
【００１９】
【図１】本発明の一実施形態であるファントム（心臓ファントム）が体幹容器内に設置されている状態を示す説明図。
【図２】図１の心臓ファントムを分解した状態を示す説明図。
【図３】図２の心臓ファントムの内容器と、模擬病変部材及び基準位置部材を示す説明図。
【図４】（Ａ）は模擬病変部材の取付構造を示す図２のＩＶ−ＩＶ線断面図、（Ｂ）は凹凸のない模擬病変部材の取付構造を示す断面図。
【図５】（Ａ）は、図１の状態から心臓ファントムを取り外した状態を示す説明図、（Ｂ）は心臓ファントムを固定する固定部材を示す説明図。
【図６】（Ａ）は本実施形態のファントムの核医学画像の例を示す説明図、（Ｂ）は本実施形態のファントムのＣＴ画像の例を示す説明図、（Ｃ）は撮影機器に位置ずれのない状態のフュージョン画像の例を示す説明図、（Ｄ）は撮影機器に位置ずれのある状態のフュージョン画像の例を示す説明図。
【発明を実施するための形態】
【００２０】
以下、本発明の実施形態の一例である医用画像評価用のファントム１として、心臓を模した心臓ファントム２が体幹容器３内に収納されたものを例にして、図１〜図６を参照して説明する。図１は、本実施形態であるファントム１において、心臓ファントム２が体幹容器３内に設置されている状態を示す説明図であり、体幹容器３の前面部分を切り欠いた状態を示している。図２は、図１の心臓ファントム２を分解した状態を示す説明図である。
【００２１】
心臓ファントム２は、図１に示すように、全体として下方に向けて径が小さくなる大略円錐形状に形成されている。また、心臓ファントム２は、体幹容器３の収納部３１内に設けられた背骨（脊椎）に相当する支柱３２に、固定部材３３によって固定されている。心臓ファントム２は、この固定部材３３によって、支柱３２に対して所定の角度で傾斜した状態で固定されている。
【００２２】
心臓ファントム２は、図２に示すように、共にアクリル樹脂等の透明な素材で形成された内容器４と外容器５とから構成される容器６を備えている。内容器４は、外容器５の内径よりも小径に形成された外径を有している。この内容器４と外容器５との間に注入空間７が形成される（図１参照）。また、外容器５の外周面には、血管を模した模擬血管９を有する血管ユニット８が取り付けられている。
【００２３】
略円錐形の内容器４の表面には、上方位置の円周方向の３か所に基準位置部材１０が取り付けられている。また、内容器４の下方の表面には、表裏の４箇所に模擬病変部材１１が設けられている。このように、容器６は、模擬病変部材１１を収納可能となっている。なお、図１においては、見やすさを考慮して背面側の２個の模擬病変部材１１の図示を省略している。
【００２４】
図１及び図２において、符号Ｓの矢印の方向は、心臓ファントム２の軸方向を示す方向であり、心臓ファントム２を用いて核医学画像撮影機器及び第２画像撮影機器（本実施形態ではＣＴ画像撮影機器）との位置関係を調整するために撮影を行う際の基準姿勢の方向を示している。
【００２５】
内容器４の上端には、円盤状の天板部材１２が設けられている。この天板部材１２は、内容器４の上端の開口部を覆っており、内部の空間に連通する内容器用開口１３と、注入空間７に連通する２箇所の注入空間用開口１４が設けられている。内容器用開口１３は、図２に示すように、第１閉塞栓１５によって閉塞されている。また、同様に、注入空間用開口１４は２個の第２閉塞栓１６によって閉塞されている。
【００２６】
また、天板部材１２の上面には、後述する固定部材３３の固定ブラケット４３に固定される固定用ボス１７が４個設けられている。本実施形態においては、天板部材１２と内容器４の上端部は、接着剤により固定されているが、嵌合構造により嵌合されるものであってもよく、ボルト等によって固定されるものであってもよい。
【００２７】
次に、図３及び図４を参照して、内容器４、基準位置部材１０及び模擬病変部材１１について説明する。図３は、図２の心臓ファントム２の内容器４と、模擬病変部材１１及び基準位置部材１０を分離した状態を示す説明図である。また、図４（Ａ）は模擬病変部材の取付構造を示す図２のＩＶ−ＩＶ線断面図、（Ｂ）は凹凸のない模擬病変部材の取付構造を示す断面図である。
【００２８】
図３に示すように、内容器４の上方位置の表面には、外周表面を一部平面状に切り欠く形で、基準位置部材１０を固定するための基準位置取付部１８が３箇所に形成されている。この基準位置取付部１８の中央部分には、基準位置部材１０に挿入される基準位置突出部１９が設けられており、基準位置突出部１９の表面には弾性を有するＯリング２０が取り付けられている。このように、基準位置部材１０は、内容器４に設けられた基準位置取付部１８に着脱自在となっている。
【００２９】
基準位置部材１０は、全体的に略円柱状であり、内容器４側には基準位置取付穴１０ａが設けられている。基準位置部材１０は、この基準位置取付穴１０ａに基準位置突出部１９を挿入させ、Ｏリング２０の弾性力によって基準位置突出部１９に保持されるものとなっている。なお、図３においては、内容器４の裏側にある基準位置取付部１８に基準位置部材１０が取り付けられた状態を示している。
【００３０】
この基準位置部材１０は、核医学画像撮影機器によって撮影された際に、核医学画像５０に基準位置画像５２として表示される部材である（図６（Ａ）参照）。基準位置部材１０は、この核医学画像５０と、それとは異なる他の第２撮影画像と融合させたフュージョン画像７０において、複数の撮影機器の位置ずれの有無を検証するために用いられる。
【００３１】
一方で、図３に示すように、内容器４の下方位置の表面には、円周部分を一部平面状に切り欠く形で、模擬病変部材１１を固定するための内容器側位置決め部２１が４箇所に設けられている。
【００３２】
内容器側位置決め部２１は、図３及び図４に示すように、内容器４から外容器５側に向かって突出し、外周が円形に形成された円形突出部２２を備えている。この円形突出部２２には、Ｏリング２３を装着するための溝２１ａが設けられており、この溝２１ａにＯリング２３が装着されている。
【００３３】
また、内容器側位置決め部２１は、模擬病変部材１１の一対の平面部１１ｂに対面し、模擬病変部材１１の取付角度（姿勢）を一定にするための、平行に延びる位置規制部２４（一対の壁面）が設けられている。この位置規制部２４は、内容器４の外周の円周部分を平面状に切り欠くことにより形成している。
【００３４】
模擬病変部材１１は、図３及び図４に示すように、平面視で楕円形状の合成樹脂製の部材であり、表面に櫛形の凹凸形状を有している。また、模擬病変部材１１の内容器４側の面には、円形突出部２２に係合する病変部側位置決め部である病変部側取付穴１１ａ（円形凹部）が形成されている。この病変部側取付穴１１ａは、円形突出部２２の外径よりも若干大きい内径を有している。
【００３５】
図３において奥側に配置された模擬病変部材１１ｎは、表面に凹凸形状が設けられていないタイプの模擬病変部材である。この模擬病変部材１１ｎも、模擬病変部材１１と同様に、病変部側取付穴１１ａ及び一対の平面部１１ｂを有している。
【００３６】
模擬病変部材１１を内容器４に装着する際には、内容器４の内容器側位置決め部２１に設けられた円形突出部２２に、模擬病変部材１１の裏面に設けられた病変部側取付穴１１ａを嵌め込む。このとき、病変部側取付穴１１ａが円形突出部２２に装着されたＯリング２３によって案内され、正確な位置決めがなされる。また、模擬病変部材１１の平面部１１ｂが内容器側位置決め部２１の位置規制部２４によって一定の取付角度に規制され、内容器４に取り付けられる。
【００３７】
次に、図１及び図２を参照して、外容器５及び血管ユニット８について説明する。外容器５は、内容器４を収納する略円錐状の胴部２５と、胴部２５の上端部に設けられ、天板部材１２に固定されるフランジ部２６を備えている。
【００３８】
血管ユニット８は、外容器５の外周面に固定される固定リング部２７と、固定リング部２７に先端部である上流始点９ａが固定された模擬血管９とを備えている。また、固定リング部２７には、外容器５のフランジ部２６に固定される連結部２７ａが設けられている。血管ユニット８は、固定リング部２７を外容器５の先端側から挿入し、連結部２７ａとフランジ部２６とを固定することにより、外容器５に取り付けられる。
【００３９】
模擬血管９は、ＣＴ画像撮影機器（図示省略）によって撮影された際に、血管の形状が画像としてくっきりと表れるような素材により形成されている。本実施形態においては、模擬血管９の素材として、ＣＴ画像撮影機器で撮影可能なＸ線の吸収率が高いアクリル樹脂を用いている。
【００４０】
また、本実施形態においては、模擬血管９は３箇所の上流始点９ａから下方に延びるように形成されており、その上流始点９ａがＣＴ画像６０として撮影された際に位置の特定が可能な特徴的な形状をしている。このように、本実施形態においては、模擬血管９の上流始点９ａが本発明における特徴部材となる。
【００４１】
次に、図１及び図５を参照して、本実施形態における体幹容器３及び固定部材３３について説明する。図５（Ａ）は、図１の状態から心臓ファントム２を取り外した状態を示す説明図であり、体幹容器３の前面の一部を切り欠いた状態を示している。図５（Ｂ）は、心臓ファントム２を固定する固定部材３３を示す説明図である。
【００４２】
図１に示すように、体幹容器３は、人体の胸部を模した容器であり、心臓ファントム２を収納する収納部３１と、収納部３１内に固定された支柱３２と、人体の肺を模した模擬肺部３４と、収納部３１及び模擬肺部３４を閉塞する蓋部材３５を備えている。また、支柱３２には、固定部材３３が取り付けられており、この固定部材３３によって支柱３２に対して心臓ファントム２を傾斜させた状態で固定している。
【００４３】
体幹容器３は、アクリル樹脂等の素材により形成され、平面視で角丸長方形に形成されている。収納部３１は、平面視で略三角形状に形成されている。模擬肺部３４は、平面視で半円状の容器を、収納部３１を挟んで両側に配置した形状となっている。
【００４４】
蓋部材３５には、蓋部材３５を体幹容器３の本体に固定するための固定ネジ３６が複数設けられている。また、蓋部材３５には、収納部３１と外部とを連通する連通孔３７が設けられ、この連通孔３７は体幹用閉塞栓３８が取り付けられている。
【００４５】
支柱３２は、アクリル樹脂等の素材により形成される円柱状の部材である。支柱３２は、下方部分で体幹容器３に固定されており、上方位置には上下方向に固定部材３３を位置決め固定するための位置決め穴３９が３箇所に設けられている。なお、支柱３２は円柱状である必要はなく、円筒状でもよく、平面視で多角形の柱部材又は筒状部材であってもよい。
【００４６】
固定部材３３は、図５（Ｂ）に示すように、支柱３２の周囲を囲む円筒部４０と、円筒部４０を支柱３２に位置決めする固定ピン４１（位置決め部材）を備えている。円筒部４０には、固定ピン４１が挿入される位置決め穴４０ａが設けられている。また、固定部材３３は、円筒部４０から前方に延びる略三角形状の傾斜保持板４２と、心臓ファントム２の天板部材１２を固定する固定ブラケット４３を備えている。固定ブラケット４３には、３個の取付穴４３ａが設けられている。
【００４７】
次に、本実施形態のファントム１を用いて、核医学画像撮影機器とＣＴ画像撮影機器（第２画像撮影機器）との位置ずれを検証する際の作動について説明する。なお、本願においては、核医学画像撮影機器及びＣＴ画像撮影機器の図示を省略する。
【００４８】
まず、本実施形態の心臓ファントム２と体幹容器３について、撮影前の準備を行う。心臓ファントム２においては、図３に示す内容器４に、基準位置部材１０及び模擬病変部材１１を装着する。基準位置部材１０は、内容器４の表面に設けられている基準位置取付部１８に取り付ける。
【００４９】
その際、基準位置部材１０の基準位置取付穴１０ａを、基準位置取付部１８に設けられている基準位置突出部１９に装着することにより行う。このとき、基準位置部材１０は、基準位置突出部１９に装着されているＯリング２０によって、正確に位置決めされると共に、抜け止めが防止される。本実施形態においては、内容器４の３箇所の基準位置取付部１８に、それぞれ基準位置部材１０を取り付ける。
【００５０】
また、模擬病変部材１１及び１１ｎを内容器４に装着する。模擬病変部材１１及び１１ｎは、内容器４に形成された４箇所の内容器側位置決め部２１のそれぞれに装着する。図３においては、模擬病変部材１１は、いずれも同一の形状のものを用いているが、核医学画像撮影機器の性能等に応じて、形状の異なるものを組み合わせて用いてもよい。
【００５１】
図４（Ａ）及び図４（Ｂ）に示すように、内容器側位置決め部２１に設けられた円形突出部２２に、模擬病変部材１１及び１１ｎに設けられた病変部側取付穴１１ａを位置合わせして装着する。その際、病変部側取付穴１１ａと円形突出部２２との間には、Ｏリング２３が挟み込まれた状態となる。
【００５２】
模擬病変部材１１は、このＯリング２３を介して、円形突出部２２に対して正確に位置決めされる。また、模擬病変部材１１を内容器４側に押しつけると、模擬病変部材１１の側面が内容器側位置決め部２１に設けられた位置規制部２４によって案内され、最終的に図４のように模擬病変部材１１が内容器側位置決め部２１に位置決め固定される。模擬病変部材１１ｎも同様となる。
【００５３】
このように、内容器４に基準位置部材１０と模擬病変部材１１及び１１ｎを装着した後、内容器４を外容器５の内部に装着する。そして、外容器５のフランジ部２６と内容器４の天板部材１２とを図示しないボルト等の締結部材で固定する。これにより、内容器４の外周面、外容器５の内周面、及び天板部材１２の裏面で囲まれる注入空間７が形成される。
【００５４】
次に、外容器５に血管ユニット８を装着する。具体的には、外容器５の先端側から固定リング部２７を装着し、固定リング部２７の連結部２７ａを外容器５のフランジ部２６にビス等を用いて固定する。これにより、血管ユニット８の模擬血管９が、外容器５に対して所定の位置に確実に配置される。また、基準位置部材１０が、血管ユニット８の上流始点９ａと隣接することになる。
【００５５】
次に、注入空間用開口１４から注入空間７に、テクネチウム等の放射性同位体を含む液体を注入し、注入空間用開口１４を第２閉塞栓１６によって閉塞する。また、内容器４の内部に放射性同位体を含む液体を入れる場合は、内容器用開口１３から内部に注入し、第１閉塞栓１５によって閉塞する。
【００５６】
次に、固定部材３３の固定ブラケット４３に、心臓ファントム２の天板部材１２を装着する。本実施形態では、図５（Ｂ）に示すように、固定ブラケット４３に設けられた３個の取付穴４３ａにビス等を通して、天板部材１２に設けられた固定用ボス１７にビス等をねじ込んで固定する。
【００５７】
一方で、体幹容器３については、模擬肺部３４に発泡スチロールの小球を充填するか、水等の液体を充填する。次に、収納部３１の支柱３２に心臓ファントム２を固定した固定部材３３を取り付ける。まず、支柱３２に対して、上方から固定部材３３の円筒部４０を装着し、支柱３２の３箇所に設けられている位置決め穴３９のうち、所望の位置決め穴３９と円筒部４０の位置決め穴４０ａの位置合わせを行う。
【００５８】
位置決め穴３９と位置決め穴４０ａの位置合わせができれば、ここに固定ピン４１を挿入し、固定部材３３の位置決め固定を行う。このように、本実施形態においては、心臓ファントム２は、固定部材３３によって容易に体幹容器３に位置決め固定することができる。また、固定部材３３が心臓ファントム２を支柱３２に対して傾斜させて保持しており、これにより、心臓ファントム２が基準姿勢の状態で保たれる。
【００５９】
このように、体幹容器３内に心臓ファントム２を設置した後、蓋部材３５を体幹容器３に被せて固定ネジ３６によって固定する。そして、必要に応じて、体幹容器３の収納部３１内に液体等を充填し、体幹用閉塞栓３８によって連通孔３７を閉塞する。以上の作業により、心臓ファントム２が体幹容器３内に収納された本実施形態のファントム１が形成される。
【００６０】
次に、図６を参照して、本実施形態のファントム１を用いて、核医学画像撮影機器とＣＴ画像撮影機器（第２画像撮影機器）との位置ずれを検証する際の作動について説明する。図６（Ａ）は本実施形態のファントム１の核医学画像５０の例を示す説明図、（Ｂ）は本実施形態のファントム１のＣＴ画像６０の例を示す説明図、（Ｃ）は撮影機器に位置ずれのない状態のフュージョン画像７０の例を示す説明図、（Ｄ）は撮影機器に位置ずれのある状態のフュージョン画像７０の例を示す説明図である。
【００６１】
まず、核医学画像撮影機器及びＣＴ画像撮影機器にファントム１をセットし、それぞれ撮影を行う。まず、核医学画像撮影機器において画像の撮影を行う場合は、心臓ファントム２が基準姿勢となるように体幹容器３の姿勢を調整する。また、核医学画像撮影機器によって得られる核医学画像５０の中心が内容器４の中心となるように心臓ファントム２を配置する。
【００６２】
核医学画像撮影機器にファントム１を正しくセットした状態で撮影された画像が図６（Ａ）の画像である。図６（Ａ）において、円及び径方向に延びる線は、核医学画像撮影機器によって核医学画像５０に描画されるエリア表示５１である。
【００６３】
図６（Ａ）に示すように、核医学画像５０には、基準位置部材１０が撮影されて表示される基準位置画像５２が３箇所と、模擬病変部材１１及び１１ｎが撮影されて表示される病変部画像５３が２箇所に表示されている。
【００６４】
心臓ファントム２の内容器４と外容器５の間に形成されている注入空間７には、放射性同位体を含む液体が充填されているが、基準位置部材１０及び模擬病変部材１１が設置されている箇所には放射性の液体は存在していない。この状態を核医学画像撮影装置で撮影すると、図６（Ａ）に示すように、基準位置部材１０及び模擬病変部材１１の部分が基準位置画像５２及び病変部画像５３が浮かび上がった画像となる。
【００６５】
基準位置部材１０は、心臓ファントム２において内容器４の周方向の表面に３箇所設けられているため、心臓ファントム２を基準姿勢で撮影した場合、互いに重なることなく３箇所に基準位置画像５２が表示される。
【００６６】
一方で、模擬病変部材１１は、図２等に示すように、心臓ファントム２が基本姿勢となっている状態で上下の模擬病変部材１１が重なる位置に設けられている。従って、図６（Ａ）においては、４個ある模擬病変部材１１のうち、上下に位置する模擬病変部材１１が重なって撮影されるため、病変部画像５３は２箇所に表示される。
【００６７】
また、本実施形態の心臓ファントム２では、天板部材１２側から見たときに、図６（Ａ）において左側に配置されている２箇所の基準位置画像５２と病変部画像５３が重ならないように配置されている。また、図６（Ａ）の右側に配置されている基準位置画像５２は、一部が病変部画像５３と重なっているが、基準位置画像５２の輪郭が明確となる配置となっている。
【００６８】
また、図６（Ｂ）には、本実施形態のファントム１をＣＴ画像撮影機器で撮影したＣＴ画像６０において、模擬血管９が模擬血管画像６１として写真に現れており、この模擬血管画像６１の上流始点画像６１ａが特徴画像となる。
【００６９】
これら、図６（Ａ）及び（Ｂ）に示される画像を、ワークステーション等を用いて合成し、図６（Ｃ）又は（Ｄ）に示すようなフュージョン画像７０とする。図６（Ｃ）は核医学画像撮影機器とＣＴ画像撮影機器との間に位置ずれがない状態を示しており、図６（Ｄ）はこれらの撮影機器の間に位置ずれが生じている状態を示している。
【００７０】
図６（Ｃ）を参照すると、模擬血管画像６１の上流始点画像６１ａと、基準位置画像５２の位置が一致している。この位置関係は、実際の心臓ファントム２を天板部材１２の方向から見た場合の位置関係と一致している。即ち、核医学画像撮影機器で撮影した核医学画像５０と、ＣＴ画像撮影機器で撮影したＣＴ画像６０との間に位置ずれがないことがわかる。
【００７１】
一方で、図６（Ｄ）においては、模擬血管画像６１の上流始点画像６１ａと、基準位置画像５２の位置にずれが生じている。この位置ずれは、核医学画像撮影機器とＣＴ画像撮影機器との間に生じている位置ずれによって生じる。このように、本実施形態のファントム１は、核医学画像撮影機器及びＣＴ画像撮影機器との間に生じる位置ずれが検証可能である。
【００７２】
このような位置ずれが生じた場合、模擬血管画像６１の上流始点画像６１ａと、基準位置画像５２の位置に生じているずれを測定し、この両撮影機器による画像によってフュージョン画像７０を作成する際に、上記ずれを考慮して両画像の位置関係を校正する。当該校正作業により、両撮影機器の位置ずれが解消され、正しいフュージョン画像７０を得ることができる。
【００７３】
なお、上記実施形態においては、ファントム１として、心臓を模した心臓ファントム２及び体幹容器３を例にして説明しているが、本発明におけるファントムは、これには限定されない。例えば、心臓以外に脳等の臓器の検証を行うファントムとしてもよい。
【００７４】
また、上記実施形態においては、基準位置部材１０は略円柱状に形成されているが、形状としては円柱状に限らず、多角形状等の任意の形状とすることができる。また、上記実施形態では、模擬病変部材１１が表面に櫛形の凹凸形状を有しているものについて説明したが、模擬病変部材１１ｎのように凹凸形状を有さないものであってもよい。また、模擬病変部材１１の外形形状も、検証する病変部に応じて任意の形状とすることができる。
【符号の説明】
【００７５】
１…ファントム
２…心臓ファントム
３…体幹容器
４…内容器
５…外容器
６…容器
７…注入空間
８…血管ユニット
９…模擬血管
９ａ…上流始点
１０…基準位置部材
１１，１１ｎ…模擬病変部材
１１ａ…病変部側取付穴（円形凹部）
１１ｂ…平面部
１２…天板部材
１７…固定用ボス
１８…基準位置取付部
１９…基準位置突出部
２０…Ｏリング
２１…内容器側位置決め部
２２…円形突出部
２３…Ｏリング
２４…位置規制部（一対の壁面）
２５…胴部
２６…フランジ部
３１…収納部
３２…支柱
３３…固定部材
３９…位置決め穴
４０…円筒部
４０ａ…位置決め穴
４１…固定ピン（位置決め部材）
４２…傾斜保持板
４３…固定ブラケット
５０…核医学画像
５１…エリア表示
５２…基準位置画像
５３…病変部画像
６０…ＣＴ画像
６１…模擬血管画像
６１ａ…上流始点画像（特徴画像）
７０…フュージョン画像
【図１】
2020139757.tif 000003
【図２】
2020139757.tif 000004
【図３】
2020139757.tif 000005
【図４】
2020139757.tif 000006
【図５】
2020139757.tif 000007
【図６】
2020139757.tif 000008